(57)【要約】【課題】  ヒンジ部材を使用することなく、部品点数を増やさずに、簡単な構造で扉を開閉可能に取り付けできる扉付収納棚を提供する。【解決手段】  棚板１０と、棚板１０を壁面に固定するための取付部材１１，１１，１１と、回転軸部１７を介し棚板１０の正面を開閉可能な扉１５を備え、取付部材１１には、裏側に凹部１２ｂと、表側に棚板１０を嵌め込み固定可能な嵌込部１３が設けられ、凹部１２ｂに裏側から扉１５の回転軸部１７を嵌め込んで、取付部材１１，１１，１１を壁面に取り付けることにより、扉１５の回転軸部１７が取付部材１１，１１，１１と壁面間に遊嵌されるように構成する。【選択図】  図２
2006110106.tif 000002
【特許請求の範囲】
【請求項１】
棚板と、該棚板を壁面に固定するための取付部材と、回転軸部を介し前記棚板の正面を開閉可能な扉を備え、前記取付部材には、裏側に凹部と、表側に前記棚板を嵌め込み固定可能な嵌込部を設け、前記凹部に裏側から前記扉の回転軸部を嵌め込んで、該取付部材を前記壁面に取り付けることにより、前記扉の回転軸部が取付部材と壁面間に遊嵌されるように構成したことを特徴とする扉付収納棚。
【請求項２】
前記取付部材は、前記嵌込部に固定用のビスを通すビス孔が貫通形成されてなり、前記嵌込部に前記棚板を取り付けた状態で、ビスが隠れるように構成されていることを特徴とする請求項１に記載の扉付収納棚。
【請求項３】
前記棚板の側面に突起又は凹みが形成されているとともに、前記扉の側面には、前記突起又は凹みに嵌合し得る凹み又は突起が形成されていることを特徴とする請求項１又は請求項２に記載の扉付収納棚。
【請求項４】
前記棚板、前記取付部材および前記扉が、それぞれ上下対称形状に形成されていることを特徴とする請求項１又は請求項２又は請求項３に記載の扉付収納棚。
【発明の詳細な説明】
【技術分野】
【０００１】
本発明は、浴室の壁面に設置される扉付収納棚に関するものである。
【背景技術】
【０００２】
従来、特許文献１に開示されているように、複数段の棚を浴室隅部の壁面材間に介設し、断面略Ｌ字状の遮閉用扉をヒンジで壁面材に設け、遮閉用扉で収納棚を隠蔽できるように構成した扉付収納棚が存在する。
【特許文献１】実公平１−８２２６号公報
【発明の開示】
【発明が解決しようとする課題】
【０００３】
従来の特許文献１に開示されているような扉付収納棚では、遮閉用扉をヒンジで壁面材に取り付けているため、ヒンジが必要となり、部品点数が増大してしまうという問題点があった。
【課題を解決するための手段】
【０００４】
本発明は上記従来の問題点に鑑み案出したものであって、ヒンジが不要となり、部品点数を減少させて簡単な構造で構成できる扉付収納棚を提供するものであり、その請求項１は、棚板と、該棚板を壁面に固定するための取付部材と、回転軸部を介し前記棚板の正面を開閉可能な扉を備え、前記取付部材には、裏側に凹部と、表側に前記棚板を嵌め込み固定可能な嵌込部を設け、前記凹部に裏側から前記扉の回転軸部を嵌め込んで、該取付部材を前記壁面に取り付けることにより、前記扉の回転軸部が取付部材と壁面間に遊嵌されるように構成したことである。
【０００５】
また請求項２は、前記取付部材は、前記嵌込部に固定用のビスを通すビス孔が貫通形成されてなり、前記嵌込部に前記棚板を取り付けた状態で、ビスが隠れるように構成されていることである。
【０００６】
また請求項３は、前記棚板の側面に突起又は凹みが形成されているとともに、前記扉の側面には、前記突起又は凹みに嵌合し得る凹み又は突起が形成されていることである。
【０００７】
また請求項４は、前記棚板、前記取付部材および前記扉が、それぞれ上下対称形状に形成されていることである。
【発明の効果】
【０００８】
本発明の扉付収納棚は、棚板と、棚板を壁面に固定するための取付部材と、回転軸部を介し棚板の正面を開閉可能な扉を備え、取付部材には、裏側に凹部と、表側に棚板を嵌め込み固定可能な嵌込部を設け、凹部に裏側から扉の回転軸部を嵌め込んで、取付部材を壁面に取り付けることにより、扉の回転軸部が取付部材と壁面間に遊嵌されるように構成したことにより、扉の回転軸部を取付部材と壁面間に遊嵌させて取り付け、更に取付部材に棚板を嵌め込んで取り付けることができ、簡単な構造で扉の回転機構を形成して、ヒンジを用いることなく、部品点数を増やさずに扉付収納棚を構成することができるものとなる。
【０００９】
また、取付部材は、嵌込部に固定用のビスを通すビス孔が貫通形成されてなり、嵌込部に棚板を取り付けた状態で、ビスが隠れるように構成されていることにより、ビスは取付部材に棚板を取り付けた際には棚板で隠されるため、すっきりとした設置状態を得ることができるものとなる。
【００１０】
また、棚板の側面に突起又は凹みが形成されているとともに、扉の側面には、棚板の突起又は凹みに嵌合し得る凹み又は突起が形成されていることにより、突起と凹みの嵌合により、別部材を用いることなく扉を閉じた状態に固定することができるものとなる。
【００１１】
また、棚板、取付部材および扉が、それぞれ上下対称形状に形成されていることにより、上下反転して使用し、浴室内の反対側の壁面にも良好に設置することができるものとなる。
【実施例】
【００１２】
以下、本発明の実施例を図面に基づいて説明する。
図１は、浴室の構成図であり、浴室１内には浴槽２が設置されており、洗い場３側の壁面４にはカウンター５が横設され、その上方に鏡６が設置されて、鏡６の図示右側に複数段の棚板１０を有する扉付収納棚７が設けられている。
また、鏡６の下方には、水栓８が設置されており、水栓８にはハンドシャワー９が連結されている。
【００１３】
前記扉付収納棚７は、図２の分解斜視図で示すような部材で構成されている。
即ち、扉付収納棚７は、棚板１０と、３個の取付部材１１，１１，１１と、１個の扉１５で構成されている。
【００１４】
棚板１０は、図３の分解図で、また図４の取り付けた状態の斜視図で示すような構造となっている。
即ち、棚板１０は、物を上面に置くことのできる水平板部１０ａの背面に、垂直に立ち上げて嵌入板部１０ｂが一体化されており、水平板部１０ａの前面側には、物の落下を防ぐ落下防止板部１０ｃが立設されており、落下防止板部１０ｃの図示左側には、水平板部１０ａの側面側に回り込んで側面部１０ｄが立設されている。
なお、棚板１０は、水平板部１０ａを中心として上下に対称形状に形成されている。
【００１５】
また、取付部材１１は、図３の斜視図で、また図５の正面図で、図６の横断面構成図で、また図７の縦断面概略構成図で示すような構造となっている。
即ち、取付部材１１は、図示右端側にコの字状に切り欠いて、コの字状切欠部１１ａが形成されており、このコの字状切欠部１１ａの上部には上片１１ｂが、下方には下片１１ｃが平行状に突出形成されて、上片１１ｂ及び下片１１ｃには、取付部材１１の上面及び下面からは見えないように裏側から略Ｕ字状に切り欠いて上凹部１２ａ及び下凹部１２ｂが形成されている。
【００１６】
また、取付部材１１の前面には、横方向にスリット状に嵌込部開口１３ａが形成されており、この嵌込部開口１３ａの奥側には垂直な嵌込部溝１３ｂが形成されて、嵌込部１３が構成されている。
また、この嵌込部溝１３ｂの上下方向中央部には、裏側へ貫通して２個のビス孔１１ｄ，１１ｄが貫通形成されており、それぞれのビス孔１１ｄ，１１ｄ内には、前方側よりビス１４を通して、壁面４にビス１４をねじ込んで、壁面４に取付部材１１を固定できるように構成されている。
なお、取付部材１１は、上下対称形状に形成されており、対称軸上に前記ビス孔１１ｄ，１１ｄが形成されたものとなっている。
【００１７】
次に、扉１５は、図２の分解図で、また図６の横断面構成図で示すような形状となっており、立上面１５ａの前端に湾曲状の湾曲面１５ｂが一体形成され、この湾曲面１５ｂから壁面４に平行状をなす前面１５ｃが形成され、前面１５ｃの先端には略９０°折曲して側面１５ｄが一体形成されて、上下対称形状に形成されている。
【００１８】
また、立上面１５ａの後端側には、上下に間隔をおいて３個の突出片１６が突出形成されており、各突出片１６の先端には上下に突出して回転軸部１７が形成されている。
この各回転軸部１７は、前記取付部材１１の上凹部１２ａ及び下凹部１２ｂ内に裏側から遊嵌させることができるものであり、取付部材１１の上凹部１２ａ及び下凹部１２ｂ内に裏側から回転軸部１７を遊嵌させた状態で、３個の取付部材１１を、それぞれビス１４を介して壁面４に取付固定することにより、扉１５の回転軸部１７は、取付部材１１と壁面４間に遊嵌された状態となり、抜脱することなく支持され、しかも回転軸部１７が凹部１２ａ，１２ｂ内で回転できるために、扉１５を回転軸部１７を中心として良好に開閉させることができるものとなる。
【００１９】
このように、別体のヒンジを用いることなく、回転軸部１７を取付部材の凹部１２ａ，１２ｂ内に裏側から嵌め込んで壁面４に固定し、取付部材１１，１１，１１とともに扉１５を取り付けることができ、この状態で、各取付部材１１の嵌込部１３の嵌込部溝１３ｂ内に横方向から棚板１０の嵌入板部１０ｂを嵌合させて嵌め込み、棚板１０の水平板部１０ａを取付部材の嵌込部開口１３ａから前方側へ突出させて、取付部材１１に棚板１０を嵌め込み固定して取り付けることができるものである。
取付部材１１に棚板１０を嵌め込み状に固定した状態は、図４に示す。
なお、取付部材１１を固定するビス１４，１４の頭部は、取付部材１１の嵌込部溝１３ｂ内に棚板１０の嵌入板部１０ｂを嵌め込んだ時には、嵌入板部１０ｂで隠蔽されるため、ビス１４が見えることなく、すっきりとした設置状態が得られるものとなる。
【００２０】
なお、扉１５の側面１５ｄに、図８の拡大横断面要部構成図で示すように、貫通状等に凹み１５ｅを形成させておき、一方、棚板１０の側面部１０ｄには、外側へ突出状に突起１０ｅを一体形成させておけば、扉１５を閉じた時に、扉の凹み１５ｅ内に棚板１０の突起１０ｅが係合状態となって、扉１５を閉じた状態に良好に固定することができるものであり、また扉１５を閉じた時に、凹み１５ｅ内に突起１０ｅが嵌まり込むことで、節度感が得られるものとなる。
【００２１】
このように、通常は扉１５を閉じた状態にして、各棚板１０上に載せられる備品等を良好に隠蔽させておくことができ、必要に応じ扉１５を開いて棚板１０上の物品を取り出して使用することができるものである。
【００２２】
なお、各棚板１０と各取付部材１１と扉１５は、上下対称形状に形成されているため、上下反転して使用することもでき、鏡６の左側にも扉付収納棚７を設置することができ、また図９に示すように、壁面４側のみならず、反対側の壁面４ａにも、上下反転させて良好に扉付収納棚７を設置することができ、何れの壁面４，４ａに設置した場合でも、扉１５はハンドシャワー９と反対側へ開閉させることができ、良好な使用状態が得られるものとなる。
【００２３】
なお、図８では、扉１５側に凹み１５ｅを形成させ、棚板１０側に突起１０ｅを形成させたものを例示しているが、逆に、扉１５側に突起を設け、棚板１０側に凹みを設けた構造であっても、同様に扉１５を閉じた状態で良好に固定でき、また開閉時の節度感が得られるものとなる。
【図面の簡単な説明】
【００２４】
【図１】浴室内に設置された扉付収納棚の設置状態図である。
【図２】扉付収納棚の構成部材の分解斜視図である。
【図３】棚板と取付部材の分解斜視図である。
【図４】取付部材に棚板を嵌合させた状態の斜視構成図である。
【図５】取付部材の正面構成図である。
【図６】取付部材に棚板を取り付け、更に扉を閉じた状態の横方向断面構成図である。
【図７】取付部材に棚板を嵌合状に取り付けた状態の縦断面構成図である。
【図８】棚板と扉の係合状態の横方向断面要部拡大図である。
【図９】浴室内に設置された扉付収納棚の平面構成図である。
【符号の説明】
【００２５】
１  浴室
２  浴槽
３  洗い場
４  壁面
６  鏡
７  扉付収納棚
１０  棚板
１０ａ  水平板部
１０ｂ  嵌入板部
１０ｃ  落下防止板部
１０ｄ  側面部
１０ｅ  突起
１１  取付部材
１１ａ  コの字状切欠部
１１ｂ  上片
１１ｃ  下片
１１ｄ  ビス孔
１２ａ  上凹部
１２ｂ  下凹部
１３  嵌込部
１３ａ  嵌込部開口
１３ｂ  嵌込部溝
１４  ビス
１５  扉
１５ａ  立上面
１５ｂ  湾曲面
１５ｃ  前面
１５ｄ  側面
１５ｅ  凹み
１６  突出片
１７  回転軸部
【図１】
2006110106.tif 000003
【図２】
2006110106.tif 000004
【図３】
2006110106.tif 000005
【図４】
2006110106.tif 000006
【図５】
2006110106.tif 000007
【図６】
2006110106.tif 000008
【図７】
2006110106.tif 000009
【図８】
2006110106.tif 000010
【図９】
2006110106.tif 000011